【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
ズームレンズとフォーカスレンズとをそれぞれに対応する第１及び第２のステッピングモータにより移動させるカメラ装置であって、
前記ズームレンズまたは前記フォーカスレンズの何れかの移動開始タイミングになったか否かを判定する第１判定手段と、
前記第１判定手段によって判定された移動開始タイミングから、前記ズームレンズと前記フォーカスレンズとを同時に移動させる状態となるか否かを判定する第２判定手段と、
前記第２判定手段により前記ズームレンズと前記フォーカスレンズとを同時に移動させると判定された場合に、前記第１及び第２ステッピングモータに対する励磁信号の出力タイミングを同期するように設定するタイミング設定手段と、
前記タイミング設定手段により設定された出力タイミングにより、前記第１及び第２ステッピングモータ対して励磁信号を出力する出力手段と
を具備したことを特徴とするカメラ装置。
【請求項２】
前記タイミング設定手段は、前記第１及び第２ステッピングモータのそれぞれに対する電流負荷が重い位相が重ならないように出力タイミングを設定することを特徴とする請求項１記載のカメラ装置。
【請求項３】
前記出力手段は、前記タイミング設定手段により設定された出力タイミングで励磁信号の出力を開始するのに先だって、前記第１及び第２ステッピングモータのそれぞれに対する電流負荷が重い位相が重ならない位置にそれぞれのモータを移動させる初期移動を行うことを特徴とする請求項２記載のカメラ装置。
【請求項４】
前記出力手段は、前記第２判定手段により前記ズームレンズと前記フォーカスレンズとを同時に移動させないと判定された場合は、前記初期移動を行わないことを特徴とする請求項３記載のカメラ装置。
【請求項５】
前記第１及び第２ステッピングモータのそれぞれに対する電流負荷が重い位相が重ならない位置にそれぞれのモータが停止しているか否かを判定する第３の判定手段と、
前記第３の判定手段の判定結果に応じて前記出力手段により前記初期移動を行わせるか否かを制御する制御手段と、を更に備えたことを特徴とする請求項４記載のカメラ装置。
【請求項６】
前記出力手段は、前記第１または第２ステッピングモータに対する励磁信号の出力停止時に、前記第１及び第２ステッピングモータのそれぞれに対する電流負荷が重い位相が重ならない位置にそれぞれのモータを停止させるように励磁信号の出力を停止させることを特徴とする請求項５記載のカメラ装置。
【請求項７】
前記出力手段は、前記フォーカスレンズの移動方向を反転させる際に、前記第１及び第２ステッピングモータのそれぞれに対する電流負荷が重い位相が重ならない位置まで、前記第２ステッピングモータに対して励磁信号を出力して停止させることを特徴とする請求項１記載のカメラ装置。
【請求項８】
前記タイミング設定手段は、前記第１ステッピングモータに対して継続的に励磁信号を出力するタイミングを設定し、前記第２ステッピングモータに対して間欠的に励磁信号を出力するタイミングを設定する間欠動作設定手段を有し、
前記出力手段は、前記間欠動作設定手段により設定されたタイミングで前記第１及び第２ステッピングモータ対して励磁信号を出力するズームトラッキング手段とを有することを特徴とする請求項１記載のカメラ装置。
【請求項９】
レンズ位置の初期化の実行が指示されたことを判定する初期化実行判定手段と、
前記ズームレンズと前記フォーカスレンズが初期位置にあるか否かを判定する位置判定手段と、
前記初期化実行判定手段により初期化の実行が判定された際に、前記位置判定手段により前記ズームレンズと前記フォーカスレンズの両方が初期位置にないと判定された場合に、前記タイミング設定手段により設定された出力タイミングで前記出力手段により励磁信号を出力させて、前記ズームレンズと前記フォーカスレンズとを初期位置まで移動させる制御手段と
を具備したことを特徴とする請求項１記載のカメラ装置。
【請求項１０】
前記制御手段は、前記初期化実行判定手段により初期化の実行が判定された際に、前記位置判定手段により前記ズームレンズと前記フォーカスレンズの一方が初期位置にあると判定された場合に、前記タイミング設定手段により出力タイミングを設定することのない通常のレンズ初期化処理により前記ズームレンズと前記フォーカスレンズとを初期位置まで移動させることを特徴とする請求項９記載のカメラ装置。
【請求項１１】
前記制御手段は、前記フォーカスレンズの位置リセット動作の開始タイミングと、前記ズームレンズの位置リセット動作の開始タイミングとが同時となるように制御することを特徴とする請求項９記載のカメラ装置。
【請求項１２】
前記制御手段は、前記フォーカスレンズの位置リセット動作の開始タイミングと、前記ズームレンズのワイド位置への移動動作の開始タイミングとが同時となるように制御することを特徴とする請求項９記載のカメラ装置。
【請求項１３】
前記制御手段は、シャッタオープン動作を開始させた後、オープン状態となったか否かの確認処理を行った後に、前記フォーカスレンズおよび前記ズームレンズの移動を開始させるように制御することを特徴とする請求項９記載のカメラ装置。
【請求項１４】
前記制御手段は、シャッタオープン動作を開始させた後、オープン状態となったか否かの確認処理を行う前に、絞りオープン動作を開始させることを特徴とする請求項９記載のカメラ装置。
【請求項１５】
前記位置判定手段は、
前記ズームレンズと前記フォーカスレンズのそれぞれについて、その位置に応じてアナログ信号を出力する複数のセンサと、
前記複数のセンサから出力されるアナログ信号を選択的にデジタル信号に変換して出力する１つのＡ／Ｄ回路と、
前記Ａ／Ｄ回路から出力されるデジタル信号が示す値と予め決められた初期位置に対応する比較レベルとを比較することにより、前記ズームレンズあるいは前記フォーカスレンズが初期位置にあるか否かを判定する比較手段と
を具備したことを特徴とする請求項９記載のカメラ装置。
【請求項１６】
前記Ａ／Ｄ回路によるデジタル信号の出力を、前記出力手段により励磁信号を出力する出力タイミングと同期させることを特徴とする請求項１５記載のカメラ装置。
【請求項１７】
ズームレンズとフォーカスレンズとをそれぞれに対応する第１及び第２のステッピングモータにより移動させるカメラ装置のレンズ駆動方法であって、
前記ズームレンズまたは前記フォーカスレンズの何れかの移動開始タイミングになったか否かを判定する第１判定ステップと、
前記第１判定ステップによって判定された移動開始タイミングから、前記ズームレンズと前記フォーカスレンズとを同時に移動させる状態となるか否かを判定する第２判定ステップと、
前記第２判定ステップにより前記ズームレンズと前記フォーカスレンズとを同時に移動させると判定された場合に、前記第１及び第２ステッピングモータに対する励磁信号の出力タイミングを同期するように設定するタイミング設定ステップと、
前記タイミング設定ステップにより設定された出力タイミングにより、前記第１及び第２ステッピングモータ対して励磁信号を出力する出力ステップと
を有することを特徴とするレンズ駆動方法。
【手続補正２】
【補正対象書類名】明細書
【補正対象項目名】００１２
【補正方法】変更
【補正の内容】
【００１２】
請求項３記載の発明は、請求項１記載の発明において、前記タイミング設定手段により設定された出力タイミングで励磁信号の出力を開始するのに先だって、前記第１及び第２ステッピングモータのそれぞれに対する電流負荷が重い位相が重ならない位置にそれぞれのモータを移動させる初期移動を行うことを特徴とする。
また、請求項４記載の発明は、請求項３記載の発明において、前記出力手段は、前記第２判定手段により前記ズームレンズと前記フォーカスレンズとを同時に移動させないと判定された場合は、前記初期移動を行わないことを特徴とする。
また、請求項５記載の発明は、請求項４記載の発明において、前記第１及び第２ステッピングモータのそれぞれに対する電流負荷が重い位相が重ならない位置にそれぞれのモータが停止しているか否かを判定する第３の判定手段と、前記第３の判定手段の判定結果に応じて前記出力手段により前記初期移動を行わせるか否かを制御する制御手段と、を更に備えたことを特徴とする。
また、請求項６記載の発明は、請求項５記載の発明において、前記出力手段は、前記第１または第２ステッピングモータに対する励磁信号の出力停止時に、前記第１及び第２ステッピングモータのそれぞれに対する電流負荷が重い位相が重ならない位置にそれぞれのモータを停止させるように励磁信号の出力を停止させることを特徴とする。
【手続補正３】
【補正対象書類名】明細書
【補正対象項目名】００１５
【補正方法】変更
【補正の内容】
【００１５】
また、請求項９記載の発明は、請求項１記載の発明において、レンズ位置の初期化の実行が指示されたことを判定する初期化実行判定手段と、前記ズームレンズと前記フォーカスレンズが初期位置にあるか否かを判定する位置判定手段と、前記初期化実行判定手段により初期化の実行が判定された際に、前記位置判定手段により前記ズームレンズと前記フォーカスレンズの両方が初期位置にないと判定された場合に、前記タイミング設定手段により設定された出力タイミングで前記出力手段により励磁信号を出力させて、前記ズームレンズと前記フォーカスレンズとを初期位置まで移動させる制御手段とを具備したことを特徴とする。
また、請求項１０記載の発明は、請求項９記載の発明において、前記制御手段は、前記初期化実行判定手段により初期化の実行が判定された際に、前記位置判定手段により前記ズームレンズと前記フォーカスレンズの一方が初期位置にあると判定された場合に、前記タイミング設定手段により出力タイミングを設定することのない通常のレンズ初期化処理により前記ズームレンズと前記フォーカスレンズとを初期位置まで移動させることを特徴とする。
また、請求項１１記載の発明は、請求項９記載の発明において、前記制御手段は、前記フォーカスレンズの位置リセット動作の開始タイミングと、前記ズームレンズの位置リセット動作の開始タイミングとが同時となるように制御することを特徴とする。
また、請求項１２記載の発明は、請求項９記載の発明において、前記制御手段は、前記フォーカスレンズの位置リセット動作の開始タイミングと、前記ズームレンズのワイド位置への移動動作の開始タイミングとが同時となるように制御することを特徴とする。
また、請求項１３記載の発明は、請求項９記載の発明において、前記制御手段は、シャッタオープン動作を開始させた後、オープン状態となったか否かの確認処理を行った後に、前記フォーカスレンズおよび前記ズームレンズの移動を開始させるように制御することを特徴とする。
また、請求項１４記載の発明は、請求項９記載の発明において、前記制御手段は、シャッタオープン動作を開始させた後、オープン状態となったか否かの確認処理を行う前に、絞りオープン動作を開始させることを特徴とする。
【手続補正４】
【補正対象書類名】明細書
【補正対象項目名】００１６
【補正方法】変更
【補正の内容】
【００１６】
また、請求項１５記載の発明は、請求項９記載の発明において、前記位置判定手段は、前記ズームレンズと前記フォーカスレンズのそれぞれについて、その位置に応じてアナログ信号を出力する複数のセンサと、前記複数のセンサから出力されるアナログ信号を選択的にデジタル信号に変換して出力する１つのＡ／Ｄ回路と、前記Ａ／Ｄ回路から出力されるデジタル信号が示す値と予め決められた初期位置に対応する比較レベルとを比較することにより、前記ズームレンズあるいは前記フォーカスレンズが初期位置にあるか否かを判定する比較手段とを具備したことを特徴とする。
【手続補正５】
【補正対象書類名】明細書
【補正対象項目名】００１７
【補正方法】変更
【補正の内容】
【００１７】
また、請求項１６記載の発明は、請求項１５記載の発明において、前記Ａ／Ｄ回路によるデジタル信号の出力を、前記出力手段により励磁信号を出力する出力タイミングと同期させることを特徴とする。
【手続補正６】
【補正対象書類名】明細書
【補正対象項目名】００１８
【補正方法】変更
【補正の内容】
【００１８】
また、請求項１７記載の発明は、ズームレンズとフォーカスレンズとをそれぞれに対応する第１及び第２のステッピングモータにより移動させるカメラ装置のレンズ駆動方法であって、前記ズームレンズまたは前記フォーカスレンズの何れかの移動開始タイミングになったか否かを判定する第１判定ステップと、前記第１判定ステップによって判定された移動開始タイミングから、前記ズームレンズと前記フォーカスレンズとを同時に移動させる状態となるか否かを判定する第２判定ステップと、前記第２判定ステップにより前記ズームレンズと前記フォーカスレンズとを同時に移動させると判定された場合に、前記第１及び第２ステッピングモータに対する励磁信号の出力タイミングを同期するように設定するタイミング設定ステップと、前記タイミング設定ステップにより設定された出力タイミングにより、前記第１及び第２ステッピングモータ対して励磁信号を出力する出力ステップとを有することを特徴とする。
【手続補正７】
【補正対象書類名】明細書
【補正対象項目名】００１９
【補正方法】変更
【補正の内容】
【００１９】
請求項１、１７記載の発明によれば、ズームレンズとフォーカスレンズとをそれぞれに対応する第１及び第２のステッピングモータにより移動させるカメラ装置において、ズームレンズとフォーカスレンズとを同時に移動させる場合に、第１及び第２ステッピングモータに対する励磁信号の出力タイミングを同期するように設定して、第１及び第２ステッピングモータ対して励磁信号を出力することにより、ズームレンズの移動とフォーカスレンズの移動を同時に実行した時に位相が非同期となることで電流負荷の大きい位相が発生してピーク電流値が高くなることを回避することができる。従って、カメラ装置を動作させるための電池の電圧降下値を小さくすることができ、例えば電池残量の判定に予め設定された閾値電圧との比較が行われる場合に、この閾値電圧を割りにくくすることで電池寿命を長くすることができる。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】